(57)【特許請求の範囲】
【請求項１】
紙パック頂部の装着孔に溶着状態で装着される紙パック用のスパウトであって、
該スパウトは、前記装着孔に下方から押嵌される環状の台座と、該台座の下端部から外方に延設され装着孔周縁の紙パック頂部内面に溶着されるフランジ部と、台座から上方に立設され台座の内周と同一内周を有し且つ外周に螺条が形成された注出筒と、からなるスパウト本体と、該スパウト本体の注出筒に螺合する外蓋と、からなり、
前記スパウト本体の注出筒は、環状の開封用スコアと該開封用スコアの内周側に立設するプルリングとを備えた密閉板によって封止されており、該密閉板下方の台座の内周面には、全周にわたって周方向に間隔をおいて複数設けられた肉抜き部が形成されていることを特徴とする紙パック用のスパウト。
【請求項２】
前記肉抜き部は、等間隔且つ等幅に配置されており、肉抜き部は８ないし１６個設けられており、肉抜き部の合計幅は、台座の内周長の３０ないし８０％である請求項１記載の紙パック用のスパウト。
【請求項３】
前記肉抜き部は、上方から下方にかけて傾斜状に肉抜きされた形状にされている請求項１または２記載の紙パック用のスパウト。
【請求項４】
前記台座底面と前記開封用スコア下面との距離が５ｍｍ以上である請求項１ないし３のいずれか１項記載の紙パック用のスパウト。
【発明の詳細な説明】
【技術分野】
【０００１】
本発明は、紙パックの注出性やリシール性を高めた紙パック用のスパウトに関し、より詳しくは、超音波を用いたシール時にも開封用スコア部分やその他の薄肉部分が損傷しないで、かつ、スパウト本体の注出筒に外蓋を螺着する際、台座と冶具が係合することによって、スパウト本体を固定した状態で外蓋を螺着でき様に、さらに、素材の樹脂量を節約可能にした紙パック用のスパウトに関する。
【背景技術】
【０００２】
紙パックは、通常、ジュース、調味料、酒などの容器として使われ、注出性やリシール性を高めるためスパウトが装着される。例えば、図４に示すように、紙パック５０の頂部５１に装着孔を設け、その装着孔にスパウト５２を超音波を使用して溶着してなり、このスパウト５２により、紙パック５０の注出性やリシール性を高めている。ところが、紙パック５０の装着孔にスパウト５２を超音波溶着する際、スパウト５２を開封するためのスコアやその他の薄肉部が損傷することがある。このような状況から、この損傷を防ぐ紙パック用のスパウトとして、以下のようなものが知られている。
【特許文献１】特開２００２−２７５８号公報
【特許文献２】特開２００４−６７１０１号公報
【０００３】
特許文献１の紙パック用のスパウトは、図５に示すように、その外周縁部に紙パック５０の頂部５１にある装着孔５３に超音波溶着するフランジ部５４を延設している台座５５と、この台座５５の内周上部に立設し外蓋５６を螺着脱する注出筒５７と、台座５５の内周横上部に環状の開封用スコア５８とこの開封用スコア５８の内周側に立設するプルリング５９とを備え注出筒５７を封止する密閉板６０と、からなり、この台座５５の内径５５Ａを２０ｍｍ以下とし、この台座５５とフランジ部５４とが交差する交差部をＲ０．２以上の曲面として、さらに、台座５５の底面と開封用スコア５８の下面とで形成するスコア高さ５８Ａを２．３ｍｍ以上とした間隙部６１を有し、加えて、環状の開封用スコア５８の巾Ｌを０．２から０．５ｍｍの範囲とし且つ密閉板６０の肉厚Ｎを１．５ｍｍ以下としたものである。これにより、環状の開封用スコア５８や交差部が損傷することなく、紙パック５０の装着孔５３に紙パック用のスパウトを超音波溶着して、極めて良好に封止できるものである。
【０００４】
また、特許文献２の紙パック用のスパウトは、図６に示すように、下端外周面にフランジ部５４を設けた台座５５の上面内周縁部に注出筒５７を立設し、この注出筒５７に外蓋５６を螺着脱し且つ注出筒５７の内側下方にこれを封止する密閉板６０を設け、この密閉板６０に環状の開封用スコア５８とこの開封用スコア５８の内周側に立設するプルリング５９とを備えてなり、台座５５の下面に環状透かし部６２を形成し、且つ注出筒５７の内側下方にある開封用スコア５８より外側の密閉板６０の厚みｅを、開封用スコア５８より内側の密閉板６０の厚みＥより薄くしたものである。上記した環状透かし部６２並びに開封用スコア５８より外側の密閉板６０の厚みｅを内側の密閉板６０の厚みＥより薄したことによる作用の相乗効果により、環状の開封用スコア５８が損傷することがなく、紙パック５０の装着孔５３に紙パック用のスパウトを超音波溶着して、極めて良好に封止できるものである。
【発明の開示】
【発明が解決しようとする課題】
【０００５】
特許文献１の紙パック用のスパウトは、紙パック５０の装着孔５３に超音波溶着するにあたり、環状の開封用スコア５８が損傷することがないものの、注出筒５７に外蓋５６を螺着する際、フランジ部５４や台座５５を固定して行うが、その固定自体が難しく、外蓋５６の締め付け不足が生じやすく、上記の固定箇所に傷を付けたりする虞があり、生産管理上のネックになったり、見栄えが悪くなってしまうことになる。
【０００６】
特許文献２の紙パック用のスパウトも、特許文献１と同様に、超音波溶着時に環状の開封用スコア５８が損傷することがないものの、フランジ部５４や台座５５を固定するのが難しく、外蓋５６の締め付け不足が生じやすく、上記の固定箇所に傷を付けたりする虞があって、生産管理上のネックになったり、見栄えが悪くなってしまうことになる。
【０００７】
そこで、本発明の目的は、超音波溶着時に開封用スコア部分やその他の薄肉部分が損傷しないことは勿論のこと、外蓋の締め付け不足やその固定箇所に傷を付けず、生産管理がし易く、見栄えも良好な紙パック用のスパウトを提供することにある。
【課題を解決するための手段】
【０００８】
本発明は、上記目的を達成するために提案されたものであって、下記の構成からなることを特徴とするものである。
すなわち、本発明によれば、紙パック頂部の装着孔に溶着状態で装着される紙パック用のスパウトであって、該スパウトは、前記装着孔に下方から押嵌される環状の台座と、該台座の下端部から外方に延設され装着孔周縁の紙パック頂部内面に溶着されるフランジ部と、台座から上方に立設され台座の内周と同一内周を有し且つ外周に螺条が形成された注出筒と、からなるスパウト本体と、該スパウト本体の注出筒に螺合する外蓋と、からなり、前記スパウト本体の注出筒は、環状の開封用スコアと該開封用スコアの内周側に立設するプルリングとを備えた密閉板によって封止されており、該密閉板下方の台座の内周面には、全周にわたって周方向に間隔をおいて複数設けられた肉抜き部が形成されていることを特徴とする紙パック用のスパウトが提供される。
【０００９】
また、本発明によれば、前記肉抜き部は、等間隔且つ等幅に配置されており、肉抜き部は８ないし１６個設けられており、肉抜き部の合計幅は、台座の内周長の３０ないし８０％である紙パック用のスパウトが提供される。
【００１０】
また、本発明によれば、前記肉抜き部は、上方から下方にかけて傾斜状に肉抜きされた形状にされている紙パック用のスパウトが提供される。
【００１１】
また、本発明によれば、前記台座底面と密閉板との距離が５ｍｍ以上である紙パック用のスパウトが提供される。
【発明の効果】
【００１２】
すなわち、本発明によれば、紙パック頂部にある装着孔にスパウト本体の台座を押嵌して、装着孔周縁の紙パック頂部内面にフランジ部を合わせ、その合わせ面に超音波を照射すると振動するが、スパウト本体の台座内周面に形成された複数の肉抜き部及びその肉抜き部間のリブが振動を吸収する。したがって、開封用スコア部分やその他の薄肉部分が損傷しない効果がある。また、スパウト本体の注出筒に外蓋を螺着する際、台座の複数の肉抜き部に冶具を差し込むことで、スパウト本体を固定して外蓋を螺着できる。したがって、外蓋の締め付け不足や固定箇所に傷を付けず、生産管理がし易く、見栄えも良好である効果がある。加えて、複数の肉抜き部が有ることにより、その分素材量を減らす効果がある。
【００１３】
また、本発明によれば、スパウト本体の注出筒に外蓋を螺着する際、台座に等間隔且つ等幅に配置された複数の肉抜き部に冶具を差し込むことで、スパウト本体を固定して外蓋を螺着できる。したがって、上記効果に加えて、冶具を一定形状にできる効果がある。
【００１４】
また、本発明によれば、スパウト本体の注出筒に外蓋を螺着する際、台座の上方から下方にかけて傾斜状に肉抜きされた肉抜き部に冶具を差し込むことで、スパウト本体を固定して外蓋を螺着できる。したがって、上記効果に加えて、冶具の利用性を確保しつつ、台座の質量を確保し且つ素材量を減らすことができる効果がある。
【００１５】
また、本発明によれば、装着孔周縁の紙パック頂部内面にフランジ部を合わせ、その合わせ面に超音波を照射すると振動するが、台座底面と開封用スコア下面との距離が５ｍｍ以上離れていることによって、フランジ部から台座、さらに注出筒と伝播してくるその振動の影響が低減される。したがって、上記の効果が確実に得られる。
【発明を実施するための最良の形態】
【００１６】
以下に、図面を参照して本発明を実施するための最良の形態を説明する。
【実施例１】
【００１７】
図１は本発明の紙パック用のスパウトが紙パックの頂部に装着されている状態を示している縦断面図、図２は本発明の紙パック用のスパウトから外蓋を外した状態の縦断面図、図３は本発明の紙パック用のスパウトの裏面図、図４は紙パック用のスパウトが紙パックの頂部に装着されている状態を示す斜視図である。これらの図において、紙パック用のスパウト１は、超音波溶着が可能な樹脂製であり、紙パック２の頂部３の装着孔４に溶着状態で装着するスパウト本体５と、このスパウト本体５に螺着脱する外蓋６とからなるものである。
【００１８】
前記スパウト本体５は、紙パック２の装着孔４に下方から押嵌される環状の台座７と、この台座７の下端部から外方に延設され装着孔４の周縁の紙パック２の頂部３内面に溶着されるフランジ部８と、台座７から上方に立設され台座７の内周Ｒ１と同一内周Ｒ２を有し且つ外周に螺条９が形成された注出筒１０とからなり、スパウト本体５の注出筒１０は、環状の開封用スコア１１とこの開封用スコア１１の内周側に立設するプルリング１２とを備えた密閉板１３によって封止されており、この密閉板１３下方の台座７の内周面には、全周にわたって周方向に間隔をおいて複数設けられた肉抜き部１４が形成されている。
また、開封用スコア１１下面と台座下面との距離Ｄは５ｍｍとなっている。
【００１９】
前記スパウト本体５の台座７は、上述の如く環状をなし、その下端部の外周に前記フランジ部８が延設され、このフランジ部８の上方に紙パック２の装着孔４に仮止め出来るように係止突起２０が周方向に等間隔で４個形成され、さらに上端部に注出筒１０が立設されている。そして、この台座７の内周面には、図３に示すようにその全周にわたって、周方向に等間隔をおいて等幅の肉抜き部１４が複数形成され配置されている。この肉抜き部１４は、等間隔で１２個あり、台座７の内周面が上方から下方にかけて傾斜状に肉抜きされた形状、すなわち、図１、２に示すようにその縦断面は三角形となって、それらは形状も寸法も同じである。しかも、これら１２個の肉抜き部１４が台座７の内周面の全周にわたって等間隔で存在することにより、周方向に等間隔で等幅のリブ２１が１２個形成され配置されていることになる。なお、この肉抜き部１４は、特に、その形状も、等間隔且つ等幅であることも限定されず、その上、数量も限定されない。
【００２０】
これら肉抜き部１４及びこれにより形成されるリブ２１が有ることにより、スパウト本体５の注出筒１０に外蓋６を螺着する際、台座７に等間隔且つ等幅に配置された複数の肉抜き部１４に冶具（図示せず）を差し込むことで、スパウト本体５を固定して外蓋６を螺着できる。したがって、外蓋６の締め付け不足や固定箇所に傷を付けず、生産管理がし易く見栄えも良好となり、加えて、複数の肉抜き部１４によりその分素材量を減らすことが出来き、上記冶具を一定形状にすることも出来る。
【００２１】
なお、肉抜き部１４は、図３では１２個の例を示していて、上述のとおりその数にはとくに限定はないが、肉抜き部１４は、好ましくは８ないし１６個の範囲で設けられているのがよく、これらの肉抜き部１４の合計幅も、台座７の内周長の３０ないし８０％の範囲であるのが良い。したがって、前述のリブ２１も、肉抜き部１４と同数有り、リブ２１の合計幅は、台座７の内周長の２０ないし７０％である。
【００２２】
前記フランジ部８は、薄い鍔状であり、紙パック２の頂部３の装着孔４に超音波溶着されるものである。したがって、フランジ部８の面積、形状は、超音波溶着時に必要な強度を得ることが出来るかにより決まる。
【００２３】
前記注出筒１０は、上述のとおり、台座７上に立設し、下方部分が前記密閉板１３により塞がれ、この密閉板１３には、環状の開封用スコア１１が設けられ、この開封用スコア１１の内周側にプルリング１２が立設している。このプルリング１２は、支柱２２とリング２３とからなり、すべり止め２４が付いたリング２３に手指を掛けて引くことにより、開封用スコア１１が引き裂かれ、密閉板１３が開封される。
【００２４】
以上のスパウト本体５の説明を踏まえ、紙パック２にスパウト本体５を超音波溶着する際、台座内周面に形成された複数の肉抜き部及びその肉抜き部間のリブは、開封用スコアより下方に配置されているため、フランジから伝わる超音波の振動が開封用スコアに到達するときには、肉抜き部及びその肉抜き部間のリブによる振動をある程度吸収して弱められるので、開封用スコアの破断を有効に防止することができる。さらに、注出筒１０の底板である密閉板１３の開封用スコア１１下面と台座７の底面との距離が５ｍｍ以上に構成することで、フランジ部から台座、注出筒と伝播してくる振動の影響が低減されるので、肉抜き部及びその肉抜き部間のリブの効果の安全率をさらに上げることができる。
【００２５】
前記外蓋６は、天板３０に外側から同心状に順次配置された外筒３１、インナーリング３２を有している。外筒３１は、その内周面に注出筒１０の螺条９に沿う螺条３３が形成され、螺着脱自在になると共に、注出筒１０と協同して内外部の汚染を防止する役目を担っている。インナーリング３２は、その先端部が注出筒１０内に嵌入してシールするものであり、紙パック２の内容液を外部に漏れないようにすると共に、外筒３１と協同して内外部の汚染を防止する役目も担っている。なお、外筒３１の外周面にはすべり止め３４が設けられている。
【００２６】
次に、上記構成になる紙パック用のスパウト１の使用方法について詳述する。
まず、スパウト本体５と外蓋６とは別々に成形されているから、スパウト本体５に外蓋６を螺着するが、その際、台座７下部の肉抜き部１４に冶具を差し込みスパウト本体５を固定してから、注出筒１０に外蓋６をキャッピングする。したがって、外蓋６の締め付け不足が無く、固定箇所に傷を付けることも無い。次に、紙パック２の頂部３にある装着孔４にスパウト本体５の台座７を押嵌して、装着孔４周縁の頂部３内面にフランジ部８を合わせ、その合わせ面上に超音波シール機のホーン３５を当て、超音波を照射し溶着する。その際、フランジ部８を通してスパウト１全体が振動するが、肉抜き部及びその肉抜き部間のリブによる振動吸収と、さらに開封用スコア１１下面と台座７の底面との距離が十分あることによる振動の影響低減によって、開封用スコア１１やその他の薄肉部分が損傷することがない。
【００２７】
このように紙パック用のスパウト１が装着された紙パック２は需要家に引き渡され、需要家は紙パック２内に内容液を充填し、その充填口をシールして製品として出荷する。製品を購入した最終消費者は、外蓋６を螺脱し、さらにプルリング１２に手指を掛けて引くことにより、開封用スコア１１を引き裂き、紙パック２を開封して注出筒１０から内容液を注ぎ出し利用する。利用し終わりまだ内容液が残っている場合は、注出筒１０に外蓋６を螺着して再利用に備える。
【００２８】
以上、本発明の実施例１を説明したが、具体的な構成はこれに限定されず、本発明の要旨を逸脱しない範囲での変更は適宜可能であることは理解されるべきである。
【産業上の利用可能性】
【００２９】
本発明は、紙パックの注出性やリシール性を高めるため、スパウトを超音波溶着する際、開封用スコア部分やその他の薄肉部分を損傷させないようにする場合に利用可能性が高く、特に、外蓋の締め付け不足や固定箇所に傷を付け無いようにして、生産管理をし易くしかも見栄えも良好にしたいような場合に、利用可能性が極めて高くなる。
【図面の簡単な説明】
【００３０】
【図１】本発明の実施例１に示した紙パック用のスパウトが紙パックの頂部に装着されている状態を示している縦断面図である。
【図２】実施例１に示した紙パック用のスパウトから外蓋を外した状態の縦断面図である。
【図３】実施例１に示した紙パック用のスパウトの裏面図である。
【図４】紙パック用のスパウトが紙パックの頂部に装着されている状態を示す斜視図である。
【図５】従来の紙パックの例を示す縦断面図である。
【図６】従来の紙パックの例を示す半裁縦断面図である。
【符号の説明】
【００３１】
１                        紙パック用のスパウト
２，５０                  紙パック
３，５１                  頂部
４，５３                  装着孔
５                      スパウト本体
６，５６                  外蓋
７，５５                  台座
８，５４                  フランジ部
９，３３                  螺条
１０，５７                注出筒
１１，５８                開封用スコア
１２，５９                プルリング
１３，６０                密閉板
１４                      肉抜き部
２０                      係止突起
２１                      リブ
２２                      支柱
２３                      リング
２４，３４                すべり止め
３０                      天板
３１                      外筒
３２                      インナーリング
３５                      超音波シール機のホーン
５２                      スパウト
５５Ａ，５８Ａ，Ｒ１，Ｒ２    内径
６１                      隙間部
Ｅ，ｅ                    厚み
Ｌ                        巾
Ｄ                        距離
Ｎ                        肉厚
【図１】
0004711857.tif 000002
【図２】
0004711857.tif 000003
【図３】
0004711857.tif 000004
【図４】
0004711857.tif 000005
【図５】
0004711857.tif 000006
【図６】
0004711857.tif 000007